(57)【要約】【課題】ハンカチや靴下など比較的小さな洗濯物を干す場合の空間を、横だけでなく縦のスペースも有効的に利用することで、従来よりも空間を有効的に活用した洗濯ができるようにする。【解決手段】本考案は、２つの洗濯ばさみそれぞれのつまみ部分後方部を合体させたような構造をし、洗濯ばさみのはさむ部分を両端に設けることで、干した洗濯物の下に本考案の洗濯ばさみをはさむことで縦に多段に洗濯物を干すことができ、従来に比べ洗濯する際の空間を有効的に活用するために役に立つ。【選択図】図１
0003107226.tif 000002
【実用新案登録請求の範囲】
【請求項１】
従来型の２つの洗濯ばさみそれぞれのつまみ部分後方部を合体させたような構造をし、洗濯ばさみのはさむ部分を両端に設けることで、それぞれのはさむ部分で洗濯物をはさむことが可能であることを特徴とする洗濯ばさみである。
【請求項２】
従来型の２つの洗濯ばさみそれぞれのつまみ部分後方部は固定ストッパーにより固定されており、その固定を解除することで２つの洗濯ばさみとして切り離すこともでき、従来のような洗濯ばさみとしても使用することが可能であることを特徴とする洗濯ばさみである。
【考案の詳細な説明】
【技術分野】
【０００１】本考案は、洗濯物を多段で洗濯できるように両端にはさみ口を設ける、洗濯ばさみに関するものである。
【背景技術】
【０００２】ハンカチや靴下など比較的小さな洗濯物を干す場合、従来であると縦の空間を有効に利用できておらず、横の空間をより無駄に必要としていた。
【考案の開示】
【考案が解決しようとする課題】
【０００３】ハンカチや靴下など比較的小さな洗濯物を干す場合の空間を、横だけでなく縦のスペースも有効的に利用することで、従来よりも空間を有効的に活用した洗濯ができるように解決しようとするものである。
【課題を解決するための手段】
【０００４】本考案は、従来型の２つの洗濯ばさみそれぞれのつまみ部分後方部を合体させたような構造をし、洗濯ばさみのはさむ部分を両端に設けることで、干した洗濯物の下に本考案の洗濯ばさみをはさむことで縦に多段に洗濯物を干すことができることにより課題を解決している。
【考案の効果】
【０００５】上述の様に、本考案の多段洗濯ばさみを干した洗濯物の下にはさむことで、縦に多段に洗濯物を干すことができ縦の空間が有効に利用できるので、従来に比べ洗濯する際の空間を有効的に利用できるものとして役に立つ。【０００６】本考案の多段洗濯ばさみは、固定ストッパーを解除することで２つの従来の洗濯ばさみとして切り離すこともできるので、洗濯物を多段に干すための多段洗濯ばさみだけでなく、従来の洗濯ばさみとしての利用にも役に立つ。
【考案を実施するための最良の形態】
【０００７】本考案の片端のはさむ部分を干した洗濯物の下にはさみ、もう片端のはさむ部分に他の洗濯物をはさむことで、多段に洗濯物を干すことが可能となる。
また、固定ストッパーを解除することで２つの従来の洗濯ばさみとして切り離すこともできるので、多段洗濯ばさみもしくは従来の洗濯ばさみどちらの用途でも自由自在に使用可能となる。
【実施例】
【０００８】以下に、添付図面に従って本考案の実施例を説明する。
符号１は多段洗濯ばさみ本体、符号２ははさむ部分、符号３はつまみ部分であり、つまみ部分ではさむ部分を開口し、その両端のはさむ部分に物をそれぞれはさむことが出来る。【０００９】多段洗濯ばさみの両端の２つの洗濯ばさみは、符号４の固定ストッパーで固定され、ストッパーを押すことで符号５の固定つめが符号６の固定溝からはずれ、両端をそれぞれ外側に引くことで２つの洗濯ばさみとして切り離すことができ、用途によって多段洗濯ばさみもしくは従来の洗濯ばさみと自由自在となる。
【図面の簡単な説明】
【００１０】
【図１】  本考案の多段洗濯ばさみの全体図である。
【図２】  本考案の多段洗濯ばさみを２つの従来の洗濯ばさみに切り離した際の、片端の洗濯ばさみの全体図である。
【図３】  本考案の多段洗濯ばさみを２つの従来の選択ばさみに切り離した際の、もう片端の洗濯ばさみの全体図である。
【符号の説明】
【００１１】  １  多段洗濯ばさみ本体
２  はさむ部分
３  つまみ部分
４  固定ストッパー
５  固定つめ
６  固定溝
【図１】
0003107226.tif 000003
【図２】
0003107226.tif 000004
【図３】
0003107226.tif 000005
【手続補正書】
【提出日】平成16年9月28日(2004.9.28)
【手続補正１】
【補正対象書類名】実用新案登録請求の範囲
【補正対象項目名】全文
【補正方法】変更
【補正の内容】
【実用新案登録請求の範囲】
【請求項１】
２つの洗濯ばさみそれぞれのつまみ部分後方部を合体させたような構造をし、洗濯ばさみのはさむ部分を両端に設けることで、それぞれのはさむ部分で洗濯物をはさむことが可能であることを特徴とする多段洗濯ばさみである。
【請求項２】
２つの洗濯ばさみそれぞれのつまみ部分後方部は固定ストッパーにより固定されており、その固定を解除することで２つの洗濯ばさみとして切り離すこともでき、洗濯ばさみとしても使用することが可能であることを特徴とする請求項１記載の洗濯ばさみである。
【手続補正２】
【補正対象書類名】明細書
【補正対象項目名】全文
【補正方法】変更
【補正の内容】
【考案の詳細な説明】
【技術分野】
【０００１】本考案は、洗濯物を多段で洗濯できるように両端にはさみ口を設ける、多段洗濯ばさみに関するものである。
【背景技術】
【０００２】ハンカチや靴下など比較的小さな洗濯物を干す場合、縦の空間を有効に利用できておらず、横の空間をより無駄に必要としていた。
【考案の開示】
【考案が解決しようとする課題】
【０００３】ハンカチや靴下など比較的小さな洗濯物を干す場合の空間を、横だけでなく縦のスペースも有効的に利用することで、空間を有効的に活用した洗濯ができるように解決しようとするものである。
【課題を解決するための手段】
【０００４】本考案は、２つの洗濯ばさみそれぞれのつまみ部分後方部を合体させたような構造をし、洗濯ばさみのはさむ部分を両端に設けることで、干した洗濯物の下に本考案の多段洗濯ばさみをはさむことで縦に多段に洗濯物を干すことができることにより課題を解決している。
【考案の効果】
【０００５】上述の様に、本考案の多段洗濯ばさみを干した洗濯物の下にはさむことで、縦に多段に洗濯物を干すことができ縦の空間が有効に利用できるので、洗濯する際の空間を有効的に利用できるものとして役に立つ。【０００６】本考案の多段洗濯ばさみは、固定ストッパーを解除することで２つの洗濯ばさみとして切り離すこともでき、洗濯ばさみとしても利用できる。
【考案を実施するための最良の形態】
【０００７】本考案の多段洗濯ばさみを干した洗濯物の下にはさむことで、多段洗濯ばさみの下に別の洗濯物をはさむことができ、縦に多段に洗濯物を干すことが可能となる。
また、固定ストッパーを解除することで２つの洗濯ばさみとして切り離すこともでき、洗濯ばさみとしても使用可能となる。
【実施例】
【０００８】以下に、添付図面に従って本考案の実施例を説明する。
符号１は多段洗濯ばさみ本体、符号２は洗濯物をはさむ部分、符号３は符号２を開閉するためのつまみ部分であり、つまみ部分ではさむ部分を開口することで、両端のそれぞれのはさむ部分に洗濯物をはさむことが出来る。【０００９】２つの洗濯ばさみ（符号５と８）は、符号４の固定ストッパーで固定され、固定ストッパーの押下により、符号７の固定溝から符合６の固定つめが外れ、そして２つの洗濯ばさみをそれぞれ外側に引くことで凹凸部分（符号７と１０）が外れることにより切り離すことができ、２つの洗濯ばさみとしても使用出来る。
【図面の簡単な説明】
【００１０】
【図１】  本考案の多段洗濯ばさみの全体図である。
【図２】  切り離した場合の２つのそれぞれの洗濯ばさみの全体図である。
【図３】  切り離した場合の２つのそれぞれの洗濯ばさみの全体図である。
【符号の説明】
【００１１】  １  多段洗濯ばさみ本体
２  洗濯物をはさむ部分
３  符号２を開閉するためのつまみ部分
４  固定ストッパー
５  洗濯ばさみ
６  固定つめ
７  凹部分
８  洗濯ばさみ
９  固定溝
１０  凸部分
【手続補正３】
【補正対象書類名】図面
【補正対象項目名】全文
【補正方法】変更
【補正の内容】
【書類名】    図面
【図１】
0003107226.tif 000006
【図２】
0003107226.tif 000007
【図３】
0003107226.tif 000008